(57)【要約】【課題】構成要素の加工を容易にし、かつ、熱吸収体ウィックが熱交換媒体を吸収して外部へ移送する際の熱交換効率の向上を可能とする。【解決手段】主要構成体の筒状筐体１および管状熱吸収体ウィック２は凹凸なしの内周面を有してその加工を容易とし、中央空間の熱交換媒体液１１を内周面から毛細管力で吸収して、周囲からの加熱を受ける外周面に運び、外周面から熱交換媒体蒸気１２を発散するウィック２は、外周面に外周うね２２を設けて筒状筐体１との間に形成する外周溝２１と、外周うね２２の頂上面に形成された細溝とにより熱交換媒体蒸気１２の気化面積を増加させて発散を促進し、ウィック２の中央空間部分のほぼ全長にわたって、表面積の広い形状の板形状体でその側面をウィック２に密着する連絡ウィック５を備えて、ウィック２の中央空間の熱交換媒体液１１を毛細管力により吸収しウィック２への移送を促進している。【選択図】図１
2005106313.tif 000002
【特許請求の範囲】
【請求項１】
凝縮器と接続し、当該凝縮器から熱交換媒体液の流入を受け、受けた熱交換媒体液を熱交換媒体蒸気に変換して前記凝縮器へ流出するループヒートパイプ用蒸発器であって、外郭をなす筒状筐体と、前記筒状筐体の内部空間にあって軸方向に長い一体成型による管状をなし、前記筒状筐体の中心軸に沿って中央空間を有すると共に毛細管力により前記熱交換媒体液を吸収する熱吸収体ウィックと、前記筒状筐体と前記熱吸収体ウィックとの間に形成され前記熱吸収体ウィックから蒸発する熱交換媒体蒸気を流出口へ導く通路となる溝と、少なくとも一枚の板形状体で形成され、前記熱吸収体ウィックの中央空間に位置して軸方向で前記熱吸収体ウィックの長さにほぼ一致する長さを有し外周近辺の表面を前記熱吸収体ウィックの内周面に密着させる密着面を有し前記凝縮器から流入を受けた熱交換媒体液を毛細管力により吸収すると共に当該熱交換媒体液を前記密着面で前記熱吸収体ウィックへ前記熱吸収体ウィックの毛細管力により移送する連絡ウィックとを備えることを特徴とするループヒートパイプ用蒸発器。
【請求項２】
請求項１において、前記連絡ウィックの板形状体は、気孔径が前記熱吸収体ウィックより大きな材質を有することを特徴とするループヒートパイプ用蒸発器。
【請求項３】
請求項１において、前記連絡ウィックは複数の板形状体を有し、各板形状体は、気孔径が前記熱吸収体ウィックより大きな金網により形成される厚手の網状体であり、前記熱吸収体ウィックの中央空間にあって、その中心軸に沿って中心軸から当該中心軸で固着されて前記熱吸収体ウィックの内周面までを連結する同一湾曲形状の面を有し、各板形状体の外周先端部分で一方の表面を前記密着面として前記熱吸収体ウィックの内周面に密着し、かつ前記中心軸の周囲で等間隔に配置されることを特徴とするループヒートパイプ用蒸発器。
【請求項４】
請求項１において、前記連絡ウィックは、気孔径が前記熱吸収体ウィックより大きな金網により形成される一枚の厚手の網状体による前記板形状体を有し、前記熱吸収体ウィックの中央空間にあって、その横断面を「Ｓ」字形にしてその中央空間の中心軸に沿って前記中央空間を横断し、両外側に位置する外周近辺の外側に面する表面を前記熱吸収体ウィックの内周面に密着させる前記密着面とすることを特徴とするループヒートパイプ用蒸発器。
【請求項５】
請求項１において、前記連絡ウィックは、気孔径が前記熱吸収体ウィックより大きな金網により形成される二枚の厚手の網状体による前記板形状体を有し、前記熱吸収体ウィックの中央空間にあって、その中心軸を含む平面に沿って前記中央空間を横断する二つがその一方の面を密着し、当該面の外周近辺を開いて前記熱吸収体ウィックの内周面に密着させる前記密着面とすることを特徴とするループヒートパイプ用蒸発器。
【請求項６】
請求項１において、前記熱吸収体ウィックは、その外周面に互いに平行に等間隔をもって加工され、その頂上を前記筒状筐体の内周面に接して前記溝を形成する外周うねを備えることを特徴とするループヒートパイプ用蒸発器。
【請求項７】
請求項６において、前記外周うねは、前記中心軸に平行をなして配備されることを特徴とするループヒートパイプ用蒸発器。
【請求項８】
請求項６において、前記外周うねは、前記筒状筐体の内周面に接する頂上面で前記溝の走る方向を横切る方向に、前記熱交換媒体蒸気を移送する相互に平行な多数の細溝を有することを特徴とするループヒートパイプ用蒸発器。
【請求項９】
請求項６において、前記外周うねは、前記中心軸に平行をなしては配備され、前記筒状筐体の内周面に接する頂上面で前記外周うねの延びる方向を横切る方向に、前記熱交換媒体蒸気を移送するための相互に平行で直線状の多数の細溝を有することを特徴とするループヒートパイプ用蒸発器。
【発明の詳細な説明】
【技術分野】
【０００１】
本発明は、高熱を伝達するため、人工衛星、フリーフライヤ、及び宇宙ステーション等に使用され、特に、製作を容易にし、熱交換効率を向上させることができるループヒートパイプ用蒸発器に関するものである。
【背景技術】
【０００２】
周知のようにループヒートパイプ用蒸発器は、密閉管の内部に封入された熱交換媒体が蒸発と凝縮とを伴って蒸発器と凝縮器との間を循環流動することにより熱を輸送するループヒートパイプのための蒸発器である。この蒸発器は、毛細管圧力を生じさせる例えばポリエチレンサーモプラスチックにより形成されるウィックを密閉管の内壁面に固定し、そのウィックの内周面に、例えば、アンモニア、アルコールなどによる熱交換媒体を注入してウィックに浸透させ、加熱して蒸気化された流体を取り出して凝縮器へ送るものである。
【０００３】
従来のループヒートパイプ用蒸発器は、例えば、図４に示されるように、管状体１１０の内部に管状体１１０の軸方向に環状のウィック１２０が積層されている。外部から液流入管１３０を介して熱交換媒体液１１により供給されると、この熱交換媒体液１１が液流入管１３０から管状体１１０内でウィック１２０内に浸透する。
【０００４】
この状態で、管状体１１０が外部から図面上で矢印に沿って上方向から加熱されると、ウィック１２０内に浸透した熱交換媒体液１１が蒸発する。この蒸発した熱交換媒体蒸気１２は管状体１１０の内周面上で管状体１１０の軸方向に刻み込まれて形成される溝１１１に導入され、溝１１１に導かれて蒸気流路１４０から管状体１１０外に排出される。溝１１１は管状体１１０の内周面上に周方向に一定ピッチで形成されている。
【０００５】
しかし、上述した従来のループヒートパイプ用蒸発器では、管状体内周面に軸方向に延びる溝が設けられているための管状体の加工、更に、毛細管力を有する環状のウィックを、管状体内に多数挿入し積層するための加工があり、加工が非常に複雑であるという欠点がある。
【０００６】
他方、管状体内周面の溝が軸方向にのみ設置され、かつウィックが環形状のため、ウィック内の熱交換媒体液が気化する対象の面積は、ウィック外周面が上記溝により開口部分に形成される部分のみである。従って、熱交換媒体液が蒸気となる面積は少なく、熱吸収体ウィック内の熱交換媒体が効率良く蒸発されないという欠点がある。
【０００７】
更に、この毛細管力を有する環状ウィックの内部で中央空間部に設けられる熱交換媒体流入路の外径が小さいために熱交換媒体液の流入が十分でなく、また、この毛細管力を有する熱吸収体ウィックの半径方向の厚みが大きいために熱交換媒体がウィック半径方向に流れにくいという欠点がある。
【０００８】
この改善策として、熱交換媒体である流体をウィックの長手方向へ移送させるための溝をウィックに設けたループ型ヒートパイプが提案されている（特許文献１参照）。
【０００９】
図５はこのループ型ヒートパイプの構造を説明するための概要図であって、図５（Ａ）はパイプの中心軸に沿った縦断面、また図５（Ｂ）はパイプの径方向に沿った横断面を示す。
【００１０】
図５に示される蒸発器は、その外郭を円筒状に形成する容器２１０と、管状をなしてこの容器２１０内面に配置されるウィック２２０とを有する。ウィック２２０は、熱交換媒体が流れる方向と一致する中心軸に平行方向に、外周面では外周うね２２１およびこの外周うね２２１により形成される外周溝２２２を、かつ内周面では内周うね２２３およびこの内周うね２２３により形成される内周溝２２４をそれぞれ、中心軸の周囲に等間隔で有している。ウィック２２０は、液化された熱交換媒体液１１を外周うね２２１の側面からも毛細管力により吸収するため、その吸収面積が拡大される。一方、中央空間部分の半径は、内周溝２２４の深さを加えるので、ウィック２２０の厚さと比較して大きくなる。
【００１１】
また、容器２１０は軸方向の一方の端面に液化された熱交換媒体液１１を流入させる液流入管２３０と、他方の端面に気化された熱交換媒体蒸気１２を流出させる蒸気流出路２４０とを有する。
【００１２】
従って、容器２１０の一方から熱交換媒体液１１をウィック２２０の内部空間に供給した際、熱交換媒体液１１は、内部熱交換媒体液１１ａとなりウィック２２０の内周面全体で内周溝２２４に沿って流れ、ウィック２２０の毛細管力により吸収されてウィック２２０の半径方向に外周面まで輸送され、蒸発して内部熱交換媒体蒸気１２ａとなる。蒸発器は、加熱されるので、熱交換媒体液１１ａの気化は促進される。
【００１３】
蒸発して得られた内部熱交換媒体蒸気１２ａは、ウィック２２０の外周面全体で外周溝２２２に沿って流れ、蒸気流出路２４０から熱交換媒体蒸気１２として流出する。
【００１４】
すなわち、ウィック２２０は容器２１０に対して、積層構造でなく、一体構造をなすと共にウィック２２０自体に外周溝２２２としてその外周面に図４で示された溝１１１を形成するため加工が容易となる。また、ウィック２２０の内部を広くとり、ここにも内面に内周溝２２４を設けて熱交換媒体液１１の流入を確保することにより、熱交換媒体液１１が効率よく供給できる。すなわち、ウィック２２０は、外周面および内周面の両者に「うね及び溝」を設けて内部熱交換媒体液１１ａの吸収と内部熱交換媒体蒸気１２ａの発散との面積を拡大できるので、熱交換媒体の流れを円滑化すると共に、この毛細管力を有する熱吸収体ウィック２２０の半径方向の厚みを縮小して熱交換媒体液１１をウィック２２０半径方向に流れ易くしている。
【００１５】
しかしながらこの方法でも、ウィックの内周面にうね（畝）と溝とを形成する必要があるので、図４に示されたと同様、内周面の加工が残り、ウィックの加工が容易ではない。また、内周面の加工のため、内周面の「うね」および「溝」により拡張できるウィックの表面積は限定され、従って、熱交換媒体液の流れも限定される。
【特許文献１】特開２００１−２２１５８４号公報
【発明の開示】
【発明が解決しようとする課題】
【００１６】
解決しようとする課題は、管状体をなすウィックの内周面に軸方向の「うね」または「溝」が設けられており、相変わらず加工が非常に複雑であること、また、管状体をなすウィックの中央空間部分における熱交換媒体の流入が十分でないことである。
【課題を解決するための手段】
【００１７】
本発明によるループヒートパイプ用蒸発器は、凝縮器と接続し、当該凝縮器から熱交換媒体液の流入を受け、受けた熱交換媒体液を熱交換媒体蒸気に変換して前記凝縮器へ流出するためのものであって、外郭となる筒状筐体と熱吸収体ウィックとを主要構成要素とする。熱吸収体ウィックは、筒状筐体の内部空間にあって、その中心軸方向に長い一体成型による管状をなし、筒状筐体の中心軸に沿って中央空間を有すると共にこの中央空間に流入される前記熱交換媒体液を毛細管力により吸収する一方、加熱により気化した熱交換媒体蒸気を外周面から放散する。
【００１８】
本発明は、ループヒートパイプ用蒸発器が、筒状筐体および管状体ウィックの内周面を凹凸のない面として複雑な加工を排除し、熱吸収体ウィックの中央空間部分における熱交換媒体流入の効率を向上させるため、熱吸収体ウィックにおける中央空間形成部分は「うね」も溝も設けない面となるので、熱吸収体ウィックの中央空間に、本発明による連絡ウィックを熱吸収体ウィックに密着させて備えていることを主要な特徴とする。
【００１９】
この連絡ウィックは、少なくとも一枚の板形状体で形成され、前記熱吸収体ウィックの中央空間に位置して軸方向で前記熱吸収体ウィックの長さにほぼ一致する長さを有し外周近辺の表面を前記熱吸収体ウィックの内周面に密着させる密着面を有し前記凝縮器から流入を受けた熱交換媒体液を毛細管力により吸収すると共に当該熱交換媒体液を前記密着面で前記熱吸収体ウィックへ前記熱吸収体ウィックの毛細管力により移送する。
【００２０】
すなわち、この連絡ウィックは、熱吸収体ウィックの中央空間にあって、できる限り表面積の広い板形状をなす一枚または複数の板形状体で構成されており、凝縮器から流入を受けた熱交換媒体液をその全身全表面で毛細管力により吸収し、熱吸収体ウィックと協同機能してその吸収効率を向上させている。
【００２１】
この連絡ウィックの板形状体は、気孔径が前記熱吸収体ウィックより大きな材質を有することにより、連絡ウィックが毛細管力により吸収した熱交換媒体液を前記熱吸収体ウィックが更に大きな毛細管力により吸収することとなるので、連絡ウィックから熱吸収体ウィックへと熱交換媒体液の移送速度を高めることができる。
【００２２】
各板形状体の形状の一つは、金網を含む網状体であり、前記熱吸収体ウィックの中央空間にあって、その中心軸に沿って中心軸から当該中心軸で固着されて前記熱吸収体ウィックの内周面までを連結する同一湾曲形状の面を有し、各板形状体の外周先端部分で一方の表面を前記密着面として前記熱吸収体ウィックの内周面に密着し、かつ前記中心軸の周囲で等間隔に配置されている。
【００２３】
また、板形状体は、金網により形成される一枚の厚手の網状体であり、前記熱吸収体ウィックの中央空間にあって、その横断面を「Ｓ」字形にしてその中央空間の中心軸に沿って前記中央空間を横断し、両外側に位置する外周近辺の外側に面する表面を前記熱吸収体ウィックの内周面に密着させる前記密着面とすることができる。更に、板形状体は、金網により形成される二枚の厚手の網状体であり、前記熱吸収体ウィックの中央空間にあって、その中心軸を含む平面に沿って前記中央空間を横断する二つがその背面を密着し、当該背面の外周近辺を開いて前記熱吸収体ウィックの内周面に密着させる前記密着面とすることもできる。
【００２４】
このように、中央空間の連絡ウィックが厚手の金網による板形状体を形成することにより、熱交換媒体液を接する面で毛細管力により吸収すると共に連絡ウィックの気孔径が熱吸収体ウィックの気孔径より大きくなるので、連絡ウィックから熱吸収体ウィックへの熱交換媒体液の移送速度を高めることができる。
【００２５】
更に、連絡ウィックは、板形状体が金網による厚手の網状体であることにより平板状態への復元力を有するうえ、長さ方向に対する幅方向で湾曲させて熱吸収体ウィックの中央空間部分へ挿入するので、内周面との密着面を自動的に形成し勝つ密着度を確保できる。従って、連絡ウィックに対する特別な成形加工は不要である。
【００２６】
前記筒状筐体と前記熱吸収体ウィックとの間には、前記熱吸収体ウィックから蒸発する熱交換媒体蒸気を流出口へ導く通路となる溝が等間隔で形成されているが、この溝は、前記熱吸収体ウィックの外周面に互いに平行に等間隔をもって加工される外周うねによって形成される。この外周うねはその頂上を前記筒状筐体の内周面に接する。この溝および外周うねが中心軸方向に平行な場合、その加工は簡素化される。
【００２７】
更に、前記外周うねは、前記筒状筐体の内周面に接する頂上面で前記溝の走る方向を横切る方向に、前記熱交換媒体蒸気を流す相互に平行な多数の細溝を有することにより、熱交換媒体蒸気の流動を円滑化することが望ましい。うねも細溝もそれぞれ直線状に形成される場合、構造も簡素化され、加工も容易となる。
【発明の効果】
【００２８】
本発明のループヒートパイプ用蒸発器は、外郭となる筒状筐体、およびその内部に設けられる熱吸収体ウィックの両者とも内周面に凹凸を設けず、熱交換媒体蒸気を流す溝を、熱吸収体ウィックの外周うねにより形成するので、筒状体または管状体の内周面に対する特別な成形加工を不要にできる。従って、蒸発器の加工が簡単化されるという利点がある。
【００２９】
また、熱吸収体ウィックの中央空間には、できる限り表面積の広い形状をなして凝縮器から流入を受けた熱交換媒体液を毛細管力により吸収し、熱吸収体ウィックに対する密着面を有する連絡ウィックが設けられるので、熱交換媒体液の吸収効率を向上させることができる。更に、連絡ウィックは、熱吸収体ウィックの気孔径より大きな気孔径を有する厚手の網形状体を有することにより熱吸収体ウィックの毛細管力を補助する役割を有する。従って、管状体をなす熱吸収体ウィックの中央空間部分における熱交換媒体の流入が円滑化するという利点がある。更に、金網による連絡ウィックは、特別な成形加工を不要とするので加工の簡素化を進めることができる。
【００３０】
また、上記外周うねの頂上面には、細溝が設けられるので、筒状筐体の内周面との間に熱交換媒体蒸気のための細い流通路が形成される。従って、熱交換媒体の流出を円滑化させるという利点がある。
【発明を実施するための最良の形態】
【００３１】
本発明によるループヒートパイプ用蒸発器は、凝縮器から熱交換媒体液の流入を受け、受けた熱交換媒体液を熱交換媒体蒸気に変換して凝縮器へ流出するためのものであり、筒状体または管状体をなす構成要素の加工を簡単化すると共に管状体をなす熱吸収体ウィックの表裏面における熱交換媒体の流れを円滑化するという目的を、下記の構成により実現した。すなわち、外周うねを熱吸収体ウィックの外周面に作成して溝を形成し、この外周うねの頂上面を刻んで細溝を作成し、かつ、熱吸収体ウィックの中央空間部分のほぼ全長にわたって、できる限り表面積の広い形状をなしてその外周辺近辺の面で熱吸収体ウィックに密着する密着面を有する板形状体を形成して凝縮器から流入を受けた熱交換媒体液を毛細管力により吸収する連絡ウィックを熱吸収体ウィックとは別に設けることにより実現した。
【実施例１】
【００３２】
本発明の実施例1について図１および図２を参照して説明する。
【００３３】
図１は、本発明によるループヒートパイプ用蒸発器の実施の一形態を、中心軸を含む縦断面（Ａ）及びそのＡ−Ａ断面（Ｂ）により示す説明図である。図面では形状の概略が示されており、その相対的な寸法は示されていない。
【００３４】
図示されるループヒートパイプ用蒸発器の主要部は、従来同様、外郭となる筒状筐体１と一体成型による管状をなす熱吸収体ウィック（以後、ウィックと略称する）２とにより構成される。
【００３５】
筒状筐体１は、一方の端面中心部に液流入管３を備えて熱交換媒体液１１を流入し、他方の端面中心部では蒸気流出路４を備えて、筒状筐体１の内周面に沿って流れる熱交換媒体蒸気１２を集めて流出させる。
【００３６】
管状体のウィック２は、燈芯に用いられるような液体を吸収する毛細管力を有する材質、例えば直径「数マイクロメートル」の一様な気孔をもつポリエチレンサーモプラスチックなどのような材質を有している。ウィック２は、筒状筐体１の内部空間にあってその中心軸方向に長い形状をなし、筒状筐体１の中心軸に沿って中央空間を有すると共にこの中央空間に流入された熱交換媒体液１１を毛細管力により吸収する一方、加熱により気化した熱交換媒体蒸気１２を外周面から筒状筐体１の内周面に放散する。
【００３７】
ウィック２の外周面には、図４に示されたと同様、外周溝２１が外周うね２２により中心軸に平行に直線形状をなし等間隔で形成されている。外周溝２１は、熱交換媒体蒸気１２の流動を円滑化するため直線形状と図示して説明したが、曲線状にして熱交換媒体蒸気１２の気化のために面積を拡大してもよい。
【００３８】
上述した従来との相違は、外周うね２２の頂上面形状、およびウィック２の中央空間部分にある。
【００３９】
図２（Ａ）は、図１（Ｂ）のウィック２におけるＢ部の拡大斜視図で、外周うね２２の頂上面形状を示す。図示される外周うね２２の頂上面には、多数の細溝２３が外周溝２１に垂直方向に等間隔で刻まれている。外周うね２２の頂上面は筒形筐体１の内周面に接しているので、隣接する外周溝２１では、多数の細溝２３によりその空間が接続されている。このことは、熱交換媒体蒸気１２のウィック２から蒸発する面積を増大化し、熱交換媒体蒸気１２の蒸発と流動とを促すことになる。ここで、細溝２３が外周溝２１に垂直と図示して説明したが、角度を有しても、また外周うね２２の頂上面上で曲線を描いてもよい。曲線を描くことは、熱交換媒体蒸気１２を停滞させる原因になるが、ウィック２における気化面積は更に増大する。
【００４０】
次に、図１（Ｂ）及び図２（Ｂ）を併せ参照してウィック２の中央空間部分について説明する。
【００４１】
図１に示されるようにウィック２の中央空間には熱交換媒体液１１が流入し、ウィック２の内周面から毛細管力により吸収されるが、この内周面には「うね」も「溝」もなくしてウィック２の加工を容易にしている。また、図４で示されたウィックの内周溝に対応して熱交換媒体液１１の流動路を形成するために、本発明では管状のウィック２の中央空間で長さ方向に延びる複数の板形状体により構成される連絡ウィック５を設けている。
【００４２】
図２（Ｂ）に示される連絡ウィック５はウィック２と同様にその表面５１から毛細管力により熱交換媒体液１１を吸収する材質を有している。その各板形状体は、一方の側面を密着面５２として管状ウィック２の内周面に密着し、また他方の側面をその中心軸５３に位置させて、他の板形状体同士で固着している。図示される連絡ウィック５は、四枚の板形状体を中心軸５３の周囲に等間隔に配置させており、表面を湾曲させた中心軸５３に垂直な断面で二つの「Ｓ」字形が直交をなすようにして、その表面積の増大を図っている。なお、この枚数は奇数でもよいのは勿論である。
【００４３】
また、その板形状体は熱吸収体ウィック２の気孔径より大きな気孔径を有する材質であることがよい。この結果、小さな気孔径を有する熱吸収体ウィック２は連絡ウィック５より高い毛細管力を発生するので、連絡ウィック５は熱交換媒体液１１の熱吸収体ウィック２方向への移動を促進させる。
【００４４】
また、連絡ウィック５は湾曲させることにより密着面を形成するために、厚手の金網による網状体を板形状体としている。しかしながら、網状体の全体が金網で形成されている必要はない。少なくとも湾曲形を保持することができる程度の量で、例えば、表面のみが金網で覆われていることでもよい。金網を板形状体として、その幅を中央空間の直径より大きくすることにより、上述した「Ｓ」形状が容易に形成されるので網状体の弾力性とその復元力により密着面の密着度も増加させることができる。更に、特別な形状への加工を不要にできる。勿論、連絡ウィックは熱吸収体ウィックと同一材質でその気孔径のみを相違させてもよい。
【００４５】
上述したループヒートパイプ用蒸発器では、毛細管力を有する管状体の外周面にのみ熱交換媒体の流通路となる溝を形成する構成を採用したので、内周面における溝などの特別加工をなくすことができる。従って、加工が容易になるという効果が生じる。
【００４６】
さらに、熱吸収体ウィックの外周面全体に外周溝とした太い溝と外周うねの頂上面の細溝とが形成される構造を採用したので、熱吸収体ウィックの熱交換媒体蒸気の蒸発面積を増大させることができ、また、熱吸収体ウィックの中央空間に熱吸収体ウィックより小さな毛細管力を有する板形状体の連絡ウィックを密着面により熱吸収体ウィックの内周面に密着させて配置する構成を採用したので、熱交換媒体を吸収して熱吸収体ウィックへ移送する速度を早めると共に、その蒸発を促進するので熱交換効率を向上させる効果がある。
【実施例２】
【００４７】
本発明の実施例２について図３（Ａ）に図１を併せ参照して説明する。
【００４８】
図３（Ａ）は、本発明のループヒートパイプ用蒸発器における実施の一形態のうち、連絡ウィック５ａを斜視により示す説明図である。図面では形状の概略が示されており、その相対的な寸法は示されていない。
【００４９】
上述した実施例１との相違は、実施例１の図１の連絡ウィック５を連絡ウィック５ａに置換するものであり、他の構成要素には変更がない。従って、同一の構成要素には同一番号符号を付与してその説明を省略する。
【００５０】
図示される連絡ウィック５ａは、一枚の板形状体をなす金網による厚手の網状体で、熱吸収体ウィック２の中央空間の直径より十分に大きな寸法の幅を有している。従って、連絡ウィック５ａは、長さ方向に伸ばし幅方向を湾曲させて中央空間に挿入した際、幅方向の両側辺の近辺表面を内周面２３に密着させて断面形状を「Ｓ」字とするように固定される。
【００５１】
この結果、連絡ウィック５ａで吸収された熱交換媒体液１１を、熱吸収体ウィック２へ、上述した実施例１と同様に移送することができる。
【実施例３】
【００５２】
本発明の実施例３について図３（Ｂ）に図１を併せ参照して説明する。
【００５３】
図３（Ｂ）は、本発明のループヒートパイプ用蒸発器における実施の一形態のうち、連絡ウィック５ｂを断面により示す説明図である。図面では形状の概略が示されており、その相対的な寸法は示されていない。
【００５４】
上述した実施例１との相違は、実施例１の図１の連絡ウィック５を連絡ウィック５ｂに置換するものであり、他の構成要素には変更がない。従って、同一の構成要素には同一番号符号を付与してその説明を省略する。
【００５５】
図示される連絡ウィック５ｂは、二枚の板形状体をなす金網による厚手の網状体で、熱吸収体ウィック２の中央空間の直径より十分に大きな寸法の幅を有している。従って、連絡ウィック５ｂは、二枚を重ねて長さ方向の中央部分を固着して伸ばし、幅方向を相互に外側に湾曲させて中央空間に挿入する。その際、連絡ウィック５ｂは、幅方向の両側辺の近辺表面を内周面２３に密着させて断面形状を「エ」字とするように固定される。
【００５６】
この結果、連絡ウィック５ｂで吸収された熱交換媒体液１１を、熱吸収体ウィック２へ、上述した実施例１と同様に移送することができる。
【産業上の利用可能性】
【００５７】
本発明により、毛細管力を有する管状体の、外周面にのみ全体にわたって熱交換媒体蒸気の流通路となる外周の太い溝と外周うねの頂上面の細溝とが形成される熱吸収体ウィックを用いて、加工を簡単化できると共に、吸収された熱交換媒体液の気化を容易に促進でき、また、熱吸収体ウィックの中央空間に熱吸収体ウィックに側面を密着させた毛細管力を有する板形状体の連絡ウィックを用いて、熱交換媒体液の吸収と熱吸収体ウィックの外周面への移送とを促進できる。
【００５８】
従って、本発明の蒸発器は、加工が容易で熱交換効率を向上させることが必要な用途に適用できる。
【図面の簡単な説明】
【００５９】
【図１】ループヒートパイプ用蒸発器の実施の一形態を、中心軸を含む縦断面（Ａ）とそのＡ−Ａ断面（Ｂ）とのそれぞれで示した説明図である。（実施例１）
【図２】図１において、本発明の特徴部分を拡大し、細溝部分（Ａ）と連絡ウィック（Ｂ）とのそれぞれを斜視で示した説明図である。（実施例１）
【図３】ループヒートパイプ用蒸発器の実施の一形態を、図２とは異なる連絡ウィックの斜視（Ａ）と更に別の連絡ウィックの断面（Ｂ）とのそれぞれで示した説明図である。（実施例２および実施例３）
【図４】ループヒートパイプ用蒸発器の一例を、中心軸を含む縦断面（Ａ）とそのＣ−Ｃ断面（Ｂ）とのそれぞれで示した説明図である。（第１の従来例）
【図５】ループヒートパイプ用蒸発器の一例を、中心軸を含む縦断面（Ａ）とその横断面（Ｂ）とのそれぞれで示した説明図である。（第２の従来例）
【符号の説明】
【００６０】
１    筒状筐体
２    ウィック（熱吸収体ウィック）
３    液流入管
４    蒸気流出路
５、５ａ、５ｂ    連絡ウィック
１１    熱交換媒体液
１２    熱交換媒体蒸気
２１    外周溝
２２    外周うね
２３    内周面
２４    細溝
５１、５１ａ、５１ｂ    表面
５２、５２ａ、５２ｂ    密着面
５３    中心軸
【図１】
2005106313.tif 000003
【図２】
2005106313.tif 000004
【図３】
2005106313.tif 000005
【図４】
2005106313.tif 000006
【図５】
2005106313.tif 000007